(57)【要約】【課題】様々なアプリケーションがインストールされている携帯端末を車載装置側から制御することができる情報システム、車載装置およびプログラムを提供する。【解決手段】車載端末１０は、車両に接続される機器であり、車両から走行パルス、パーキングブレーキの状態などの車両情報が取得できる。車載端末１０は、情報端末２０から送られた映像データを表示する表示部１１と、表示部１１から入力されたボタン押下、タッチパネル押下にあわせて処理を制御し、アプリケーション情報格納部１４に格納されたアプリケーション情報データベース（ＤＢ）に合わせてアプリケーションの起動・終了、規制を制御する制御部１２と、情報端末２０よりアプリケーション情報ＤＢを取得するアプリケーション情報取得部１３と、情報端末２０との送受信を行う送受信部１５と、車載端末１０ごとの固有情報を格納する車載端末情報格納部１７とを備える。【選択図】図１
2012208891.tif 000002
【特許請求の範囲】
【請求項１】
アプリケーションを実行する携帯端末と、前記アプリケーションの映像および音声を出力する固定装置からなる情報システムであって、
前記携帯端末は、
実行可能なアプリケーションごとのアプリケーション情報を格納するアプリケーション情報データベースを前記固定装置に送信し、
前記固定装置からコマンドを受信し、前記コマンドに対応するアプリケーションの映像データおよび音声データを前記固定装置に送信し、
前記固定装置は、
前記携帯端末から取得した前記アプリケーション情報データベースと、前記固定装置ごとの固有情報を参照して前記アプリケーションの実行を制御するコマンドを生成し、
前記コマンドを前記携帯端末に送信し、前記携帯端末から前記コマンドに従って実行されるアプリケーションの映像データおよび音声データを受信する、
情報システム。
【請求項２】
請求項１記載の情報システムであって、
前記携帯端末から前記固定装置へ、前記固定装置と前記携帯端末との間で予め定められた所定のアプリケーションの起動コマンドを送信し、当該起動コマンドを受けて前記携帯端末は、アプリケーション情報データベースを前記固定装置に送信する、情報システム。
【請求項３】
アプリケーションを実行する携帯端末と通信し、前記アプリケーションの映像および音声を出力する車載装置であって、
前記アプリケーションを制御するためのアプリケーション情報を格納するアプリケーション情報データベースを前記携帯端末から取得するアプリケーション情報取得部と、
前記アプリケーション情報データベースを格納するアプリケーション情報格納部と、
前記車載装置ごとの固有情報を格納する車載装置情報格納部と、
前記アプリケーション情報データベースおよび前記固有情報を参照して前記アプリケーションの実行を制御するコマンドを生成する制御部と、
前記コマンドを前記携帯端末に送信し、前記携帯端末から前記コマンドに従って実行されるアプリケーションの映像データおよび音声データを受信する送受信部と、
を備える車載装置。
【請求項４】
請求項３記載の車載装置であって、
前記アプリケーション情報データベースは、前記車載装置と前記携帯端末との間で予め定められた所定のアプリケーションの起動コマンドを含み、
前記制御部および前記送受信部が当該起動コマンドを前記携帯端末に送信することにより、前記アプリケーション情報データベースを前記携帯端末から取得する、車載装置。
【請求項５】
請求項３記載の車載装置であって、
前記アプリケーション情報取得部は、前記車載装置と前記携帯端末の接続時、または前記車載装置におけるメニュー画面表示時に、前記アプリケーション情報データベースを取得する車載装置。
【請求項６】
請求項３記載の車載装置であって、
前記制御部は、前記アプリケーション情報格納部に格納されているアプリケーション情報データベースに登録されたアプリケーションのアイコンをメニュー画面に表示する車載装置。
【請求項７】
請求項３記載の車載装置であって、
前記制御部は、ユーザがメニュー画面でアプリケーションを選択した場合、選択したアプリケーションの起動コマンドを前記アプリケーション情報データベースから取得し、前記携帯端末へ送信する車載装置。
【請求項８】
請求項３記載の車載装置であって、
前記アプリケーションの音声を出力する複数のスピーカを備え、
前記制御部は、前記アプリケーション情報データベースに登録されている音声種別に従い、前記アプリケーションの音声を出力するスピーカを選択する車載装置。
【請求項９】
請求項３記載の車載装置であって、
前記制御部は、車両から走行パルスを含む車両情報を取得し、前記車両情報および前記アプリケーション情報データベースに登録されている走行規制データに従い、アプリケーションの実行を制限する車載装置。
【請求項１０】
請求項３記載の車載装置であって、
前記制御部は、前記アプリケーション情報格納部に格納されているアプリケーション情報、および前記車載装置情報格納部に格納されている前記車載装置ごとの固有情報に従い、アプリケーションの起動を制御する車載装置。
【請求項１１】
請求項３記載の車載装置であって、
前記アプリケーションは、ナビゲーションアプリケーション、音楽再生アプリケーションまたはホームページ閲覧アプリケーションを含む車載装置。
【請求項１２】
請求項３記載の車載装置であって、
前記アプリケーション情報データベースは、アプリケーションの起動コマンド、車両の走行状態におけるアプリケーションの制限に関する走行規制データ、音声を出力する形態に関する音声種別、子どもの視聴できる番組やコンテンツを制限するためのペアレンタルロックデータ、車両の特定の条件に対応してアプリケーションを起動するための自動起動条件、またはアプリケーションのアイコンデータを格納する車載装置。
【請求項１３】
アプリケーションを実行する携帯端末と通信し、前記アプリケーションの映像および音声を出力する固定装置のプログラムであって、
前記固定装置と前記携帯端末の接続時、または前記固定装置におけるメニュー画面表示時に、前記アプリケーションを制御するためのアプリケーション情報を格納するアプリケーション情報データベースを前記携帯端末から取得する第１のステップと、
前記アプリケーション情報データベースに登録されたアプリケーションのアイコンをメニュー画面に表示する第２のステップと、
前記メニュー画面でユーザがアプリケーションを選択した場合、選択したアプリケーションの起動コマンドを前記アプリケーション情報データベースから取得し、前記携帯端末へ送信する第３のステップと、
車両から走行パルスを含む車両情報を取得し、前記アプリケーション情報データベースに登録されている走行規制データに従い、アプリケーションの実行を制限する第４のステップと、
を前記固定装置のコンピュータに実行させるプログラム。
【請求項１４】
請求項１３記載のプログラムであって、
前記第１のステップの前に、前記車載装置と前記携帯端末との間で予め定められた所定のアプリケーションの起動コマンドを前記携帯端末に送信するステップを、前記固定装置のコンピュータに実行させる、プログラム。
【発明の詳細な説明】
【技術分野】
【０００１】
本発明は、情報システム、車載装置およびプログラムに関し、特に、様々なアプリケーションがインストールされている携帯端末を車載装置側から制御することができる情報システム、車載装置およびプログラムに関する。
【背景技術】
【０００２】
オーディオ機器として携帯に適した構成で音楽や映像などのメディアを再生・記録可能な携帯メディアプレーヤが広く知られている。また、車両にはオーディオ装置が搭載されているが、車両の乗員は乗車時にこの携帯メディアプレーヤに記憶された音楽の再生を所望することがあるため、携帯メディアプレーヤとオーディオ装置とを接続して、携帯メディアプレーヤをオーディオ装置で操作する技術が提案されている。
【０００３】
しかしながら、携帯メディアプレーヤは各メーカーによって機能および操作方法が異なるため、「再生」「選曲」など基本的な操作以外の操作をオーディオ装置から実行するのは困難である。そこで、オーディオ装置から携帯メディアプレーヤを操作する場合に、携帯メディアプレーヤに応じた分かりやすい外部機器用画面を表示する車載端末が知られている。
【０００４】
図６は、車載端末に接続された携帯メディアプレーヤを識別して当該携帯メディアプレーヤの専用の外部機器用画面を車載端末の表示部に表示するために、車載端末に記憶される多様な携帯メディアプレーヤ毎の外部機器用画面の画面情報を示す。この画面情報は、外部機器用画面テーブルと形状情報ＤＢから成る。外部機器用画面テーブルでは、表示パーツＩＤに対応づけて配置情報、形状情報、制御情報が記憶されている。形状情報ＤＢには、外部機器用画面を構成する表示パーツの形状情報（例えばビットマップデータ）が、表示パーツＩＤに対応づけて記憶されている。
【０００５】
この先行技術では車載端末内で携帯端末（携帯メディアプレーヤ）ごとの画面情報を持たせ、接続された携帯端末ごとの画面を表示させている。また、携帯端末内に画面情報を持たせ、画面情報を車載端末が取り込むことで携帯端末に合わせた画面を出させている。さらに、画面情報には車載端末の制御ボタンを押したときに情報端末に送る制御情報（コマンド）も持たせている。
【０００６】
この先行技術によれば、車載端末に接続される様々な情報端末のハード的な概観を車載端末に表示させることができる。また、主に情報端末としてオーディオをターゲットにしており、ユーザが接続した（オーディオ）情報端末を普通に操作するときと、見た目上違和感がないように車載端末に情報端末の画面を出すことができる（例えば、特許文献１参照）。
【先行技術文献】
【特許文献】
【０００７】
【特許文献１】特開２００８−２６９４８２号公報
【発明の概要】
【発明が解決しようとする課題】
【０００８】
しかしながら、従来の車載端末では、アプリケーションの動作に対して個別に規制をかけることができない。すなわち、車両が走行状態になったときに画面を見せてはいけないアプリケーションと見せてよいアプリケーションがあり、例えば、単純なオーディオのような画面は表示するが、ブラウザなど多くの文字情報を表示する画面は表示させないように個別に規制をかけることができない。
【０００９】
また、車載端末には、４スピーカのうち全スピーカから音声を出すアプリケーションと、右前の１スピーカのみから音声を出すアプリケーションがあり、例えば、オーディオアプリケーションでは全スピーカから音声を出力するが、ナビゲーションアプリケーションの案内音声は右前の１スピーカだけから音声を出力するように個別に規制をかけることができない。
【００１０】
また、従来の車載端末では、アプリケーションごとの音量設定値、画質調整値を保存することができない。例えば、携帯端末のオーディオアプリケーションの音量値１０、動画アプリケーションの音量値２０、画質調整値の明るさ＋１０のようなデータを保存することができない。
【００１１】
また、従来の車載端末では、子供には使用させないアプリケーションの設定を行うためのペアレンタルロックをかけることができない。また、車速１００ｋｍを超えたらアプリケーションを起動させるなどの特定条件で自動起動するアプリケーションの設定が困難である。
【００１２】
さらに、近年の携帯情報端末の多様化に伴い、オーディオ情報端末だけではなく、iPhone（登録商標）端末やANDROID（登録商標）端末のように情報端末内に様々なアプリケーションがインストールされている情報端末を車載端末でコントロールすることが望まれている。
【００１３】
このような情報端末内にインストールされるアプリケーションは様々なメーカーが作成しており、起動に必要なＩＤの変更などが予想される。かつ車載端末は１度出荷してしまうと変更が難しいため、頻繁に更新が繰り返される情報端末内のアプリケーションに適切に追従することが求められる。
【００１４】
また、車載端末には安全上の法規もあるため、走行状態など車両の状態に合わせてアプリケーションの動作に制限をかける必要もある。
【００１５】
さらに、情報端末、特にiPhone（登録商標）端末では車載端末との間で特別の通信規約（プロトコル）は存在するものの、車載端末は、情報端末、特にiPhone（登録商標）端末内に存在するアプリケーションを知る術がない。このような状況では接続されても車載端末は何ら情報端末のアプリケーションを取り込むこと等が出来ない。
【００１６】
本発明は、上記従来の事情に鑑みてなされたものであって、様々なアプリケーションがインストールされている携帯端末を車載装置側から制御することができる情報システム、車載装置およびプログラムを提供することを目的としている。
【課題を解決するための手段】
【００１７】
本発明の情報システムは、アプリケーションを実行する携帯端末と、前記アプリケーションの映像および音声を出力する固定装置からなる情報システムであって、前記携帯端末は、実行可能なアプリケーションごとのアプリケーション情報を格納するアプリケーション情報データベースを前記固定装置に送信し、前記固定装置からコマンドを受信し、前記コマンドに対応するアプリケーションの映像データおよび音声データを前記固定装置に送信し、前記固定装置は、前記携帯端末から取得した前記アプリケーション情報データベースと、前記固定装置ごとの固有情報を参照して前記アプリケーションの実行を制御するコマンドを生成し、前記コマンドを前記携帯端末に送信し、前記携帯端末から前記コマンドに従って実行されるアプリケーションの映像データおよび音声データを受信する。
【００１８】
本発明の情報システムによれば、固定装置は、携帯端末が実行可能なアプリケーションごとのアプリケーション情報を格納するアプリケーション情報データベースを取得するので、携帯端末にインストールされている様々なアプリケーションを固定装置側から制御することができる。
【００１９】
また、本発明の情報システムにおいて、前記携帯端末から前記固定装置へ、前記固定装置と前記携帯端末との間で予め定められた所定のアプリケーションの起動コマンドを送信し、当該起動コマンドを受けて前記携帯端末は、アプリケーション情報データベースを前記固定装置に送信するように設定されるのが望ましい。
【００２０】
本発明の情報システムによれば、予め定められた所定のアプリケーションの起動コマンドが固定装置から携帯端末へ送信されるので、固定装置は携帯端末に格納されたアプリケーションが把握できなくても、携帯端末のアプリケーション情報データベースを取得することができる。
【００２１】
また、本発明の車載装置は、アプリケーションを実行する携帯端末と通信し、前記アプリケーションの映像および音声を出力する車載装置であって、前記アプリケーションを制御するためのアプリケーション情報を格納するアプリケーション情報データベースを前記携帯端末から取得するアプリケーション情報取得部と、前記アプリケーション情報データベースを格納するアプリケーション情報格納部と、前記車載装置ごとの固有情報を格納する車載装置情報格納部と、前記アプリケーション情報データベースおよび前記固有情報を参照して前記アプリケーションの実行を制御するコマンドを生成する制御部と、前記コマンドを前記携帯端末に送信し、前記携帯端末から前記コマンドに従って実行されるアプリケーションの映像データおよび音声データを受信する送受信部と、を備える。
【００２２】
本発明の車載装置によれば、アプリケーション情報データベースおよび固有情報を参照してアプリケーションの実行を制御するので、携帯端末にインストールされている様々なアプリケーションを固定装置側から車両の状態に応じて制御することができる。
【００２３】
また、本発明の車載装置において、前記アプリケーション情報データベースは、前記車載装置と前記携帯端末との間で予め定められた所定のアプリケーションの起動コマンドを含み、前記制御部および前記送受信部が当該起動コマンドを前記携帯端末に送信することにより、前記アプリケーション情報データベースを前記携帯端末から取得するのが望ましい。
【００２４】
本発明の車載装置によれば、予め定められた所定のアプリケーションの起動コマンドが車載装置から携帯端末へ送信されるので、車載装置は携帯端末に格納されたアプリケーションが把握できなくても、携帯端末のアプリケーション情報データベースを取得することができる。
【００２５】
また、本発明の車載装置において、前記アプリケーション情報取得部は、前記車載装置と前記携帯端末の接続時、または前記車載装置におけるメニュー画面表示時に、前記アプリケーション情報データベースを取得する。
【００２６】
本発明の車載装置によれば、車載装置と携帯端末の接続時、または車載装置におけるメニュー画面表示時にアプリケーション情報データベースを取得するので、ユーザが車両を使用する場合に、携帯端末にインストールされている様々なアプリケーションを車載装置側から直ちに制御することができる。
【００２７】
また、本発明の車載装置において、前記制御部は、前記アプリケーション情報格納部に格納されているアプリケーション情報データベースに登録されたアプリケーションのアイコンをメニュー画面に表示する。
【００２８】
本発明の車載装置によれば、アプリケーション情報データベースに登録されたアプリケーションのアイコンをメニュー画面に表示するので、携帯端末にインストールされている様々なアプリケーションを車載装置側から容易に制御することができる。
【００２９】
また、本発明の車載装置において、前記制御部は、ユーザがメニュー画面でアプリケーションを選択した場合、選択したアプリケーションの起動コマンドを前記アプリケーション情報データベースから取得し、前記携帯端末へ送信する。
【００３０】
本発明の車載装置によれば、ユーザがメニュー画面でアプリケーションを選択した場合、選択したアプリケーションの起動コマンドを携帯端末へ送信するので、携帯端末にインストールされている様々なアプリケーションを車載装置側から直ちに起動することができる。
【００３１】
また、本発明の車載装置は、前記アプリケーションの音声を出力する複数のスピーカを備え、前記制御部は、前記アプリケーション情報データベースに登録されている音声種別に従い、前記アプリケーションの音声を出力するスピーカを選択する。
【００３２】
本発明の車載装置によれば、例えば、オーディオアプリケーションでは全スピーカから音声を出力し、ナビゲーションアプリケーションの案内音声は右前の１スピーカだけから音声を出力するように個別に規制をかけることができる。
【００３３】
また、本発明の車載装置において、前記制御部は、車両から走行パルスを含む車両情報を取得し、前記車両情報および前記アプリケーション情報データベースに登録されている走行規制データに従い、アプリケーションの実行を制限する。
【００３４】
本発明の車載装置によれば、安全上の法規に従い、走行状態など車両の状態に合わせてアプリケーションの動作に制限をかけることができる。
【００３５】
また、本発明の車載装置において、前記制御部は、前記アプリケーション情報格納部に格納されているアプリケーション情報、および前記車載装置情報格納部に格納されている前記車載装置ごとの固有情報に従い、アプリケーションの起動を制御する。
【００３６】
本発明の車載装置によれば、例えば再生方式（モノラルまたはステレオ）、スピーカの数、チャンネル数（2chまたは5.1ch）、ドルビー規格、画面タッチの分解能、画面タッチの応答速度などの車載装置に固有な情報に合わせたアプリケーションの起動制御が可能となる。
【００３７】
また、本発明の車載装置において、前記アプリケーションは、ナビゲーションアプリケーション、音楽再生アプリケーションまたはホームページ閲覧アプリケーションを含む。
【００３８】
本発明の車載装置によれば、様々なアプリケーションがインストールされている携帯端末を車載装置側から制御することができる。
【００３９】
また、本発明の車載装置において、前記アプリケーション情報データベースは、アプリケーションの起動コマンド、車両の走行状態におけるアプリケーションの制限に関する走行規制データ、音声を出力する形態に関する音声種別、子どもの視聴できる番組やコンテンツを制限するためのペアレンタルロックデータ、車両の特定の条件に対応してアプリケーションを起動するための自動起動条件、またはアプリケーションのアイコンデータを格納する。
【００４０】
本発明の車載装置によれば、アプリケーション情報データベースを参照して、携帯端末にインストールされている様々なアプリケーションを車載装置側から制御することができる。
【００４１】
また、本発明のプログラムは、アプリケーションを実行する携帯端末と通信し、前記アプリケーションの映像および音声を出力する固定装置のプログラムであって、前記固定装置と前記携帯端末の接続時、または前記固定装置におけるメニュー画面表示時に、前記アプリケーションを制御するためのアプリケーション情報を格納するアプリケーション情報データベースを前記携帯端末から取得する第１のステップと、前記アプリケーション情報データベースに登録されたアプリケーションのアイコンをメニュー画面に表示する第２のステップと、前記メニュー画面でユーザがアプリケーションを選択した場合、選択したアプリケーションの起動コマンドを前記アプリケーション情報データベースから取得し、前記携帯端末へ送信する第３のステップと、車両から走行パルスを含む車両情報を取得し、前記アプリケーション情報データベースに登録されている走行規制データに従い、アプリケーションの実行を制限する第４のステップと、を前記固定装置のコンピュータに実行させる。
【００４２】
本発明のプログラムによれば、アプリケーション情報データベースを参照してアプリケーションの実行を制御するので、携帯端末にインストールされている様々なアプリケーションを固定装置側から制御することができる。
【００４３】
また、本発明のプログラムにおいて、前記第１のステップの前に、前記車載装置と前記携帯端末との間で予め定められた所定のアプリケーションの起動コマンドを前記携帯端末に送信するステップを、前記固定装置のコンピュータに実行させるのが望ましい。
【００４４】
本発明のプログラムによれば、予め定められた所定のアプリケーションの起動コマンドが車載装置から携帯端末へ送信されるので、車載装置は携帯端末に格納されたアプリケーションが把握できなくても、携帯端末のアプリケーション情報データベースを取得することができる。
【発明の効果】
【００４５】
以上説明したように、本発明にかかる情報システム、車載装置およびプログラムによれば、車載装置は、携帯端末が実行可能なアプリケーションごとのアプリケーション情報を格納するアプリケーション情報データベースを取得するので、携帯端末にインストールされている様々なアプリケーションを車載装置側から制御することができる。
【図面の簡単な説明】
【００４６】
【図１】本発明の実施形態にかかる車載端末（マスタ端末）１０と情報端末（スレーブ端末）２０の概略のブロック図
【図２】本発明の実施形態において車載オーディオ装置５０および携帯端末５１を通信路５２で接続し車両情報システムを構成した場合の概念図
【図３】本発明の実施形態にかかるアプリケーション情報ＤＢの例
【図４】本発明の実施形態における車載端末１０のメニュー画面イメージ
【図５】本発明の実施形態において規制をかける必要がある場合の画面イメージ
【図６】従来の車載端末に記憶される多様な携帯メディアプレーヤ毎の外部機器用画面の画面情報
【発明を実施するための形態】
【００４７】
以下、本発明の実施形態にかかる情報システム、車載装置およびプログラムについて図面を参照して詳細に説明する。
【００４８】
図１は、本発明の実施形態にかかる車載端末（マスタ端末）１０と情報端末（スレーブ端末）２０の概略のブロック図である。車載端末１０と情報端末２０は通信路３０で接続され車両情報システムを構成する。
【００４９】
車載端末１０は、車両に接続される機器であり、車両から走行パルス、パーキングブレーキの状態などの車両情報が取得できる固定装置である。車載端末１０は、画面表示を行い、情報端末２０から送られた映像データを表示する表示部１１と、表示部１１から入力されたボタン押下、タッチパネル押下にあわせて処理を制御し、アプリケーション情報格納部１４に格納されたアプリケーション情報データベース（ＤＢ）に合わせてアプリケーションの起動・終了、規制を制御する制御部１２とを備える。
【００５０】
また、車載端末１０は、情報端末２０よりアプリケーション情報ＤＢを取得するアプリケーション情報取得部１３と、ＲＡＭ，ＨＤＤなどの装置にアプリケーション情報を格納するとともに、ＲＡＭ，ＨＤＤなどの装置からアプリケーション情報を取得するアプリケーション情報格納部１４と、情報端末２０との送受信を行う送受信部１５と、音声を出力するスピーカ１６と、車載端末１０ごとの固有情報を格納する車載端末情報格納部１７とを備える。なお、車載端末情報格納部１７は、同種の車両端末の違いではなく、派生商品の違いを固有情報として格納する。
【００５１】
一方、情報端末２０は、アプリケーションを新たにインストールすることができ、通信路３０を用いて接続機器と情報のやり取りができる。情報端末２０は、情報端末２０内にて各種機能、例えばナビゲーションアプリケーション、音楽再生アプリケーション、ホームページ閲覧アプリケーションを実行するアプリケーション部２１と、情報端末２０内のアプリケーションごとのアプリケーション情報を集めたアプリケーション情報ＤＢを保持し、アプリケーション情報ＤＢを送信するアプリケーション情報提供部２２と、車載端末１０とコマンド４０を送受信し、情報端末２０の映像および音声データ４１を送信する送受信部２３とを備える。
【００５２】
情報端末２０内には複数の異なるアプリケーションが存在しうる。そして、アプリケーション固有の情報（アプリケーション名など）はアプリケーション作成者によって自由に変更できる。また、通信路３０は、車載端末１０、情報端末２０間のコマンド４０の通信路であり、車載端末１０、情報端末２０間の映像および音声データ４１の通信路である。
【００５３】
図２は、本発明の実施形態において車載オーディオ装置５０および携帯端末５１を通信路５２で接続し車両情報システムを構成した場合の概念図である。車載オーディオ装置５０、携帯端末５１、通信路５２は、各々図１の車載端末１０、情報端末２０、通信路３０に対応する。この車両情報システムにおいて、携帯端末５１と車載オーディオ装置５０が電源オンの状態で接続されたとき、車載オーディオ装置５０から携帯端末５１へ所定のアプリケーションに関するアプリケーション情報を送る制御をする。ここで所定のアプリケーションは、携帯端末５１と車載オーディオ装置５０との間で予め共通で使用されるアプリケーションであり、メーカー間やその他の当事者間で事前に決めておくものである。所定のアプリケーションにより、携帯端末５１は、通信路５２を介して車載オーディオ装置５０に接続されたことを認識することができる。
【００５４】
所定のアプリケーションは、例えば携帯端末５１のメーカーと車載オーディオ装置５０のメーカーとの間で共通に起動が可能なように予め決定されており、当然その起動コマンドを両者は持っている。車載オーディオ装置５０が、携帯端末５１に格納されているアプリケーションが把握できない場合であっても、このような所定のアプリケーションが予め存在すれば、その起動コマンドを用いて、車載オーディオ装置５０は携帯端末５１に格納されている所定のアプリケーションを呼び出すことができる。
【００５５】
尚、一つの態様として、携帯端末５１および車載オーディオ装置５０は、通信路５２を介して機械的に接続されたタイミングで接続自体は認識し、車載オーディオ装置５０が携帯端末５１内の所定のアプリケーションと通信をした後、携帯端末５１内のアプリケーションを認識する場合がある。このとき、所定のアプリケーションと通信し終わるまでは車載オーディオ装置５０には携帯端末５１のアプリケーションが表示されず、このような場合も本発明の範囲内に含まれる。
【００５６】
これを契機として携帯端末５１から車載オーディオ装置５０へアプリケーション情報ＤＢが送信され、携帯端末５１側のアプリケーションに（たとえ新しいものが出ようが）車載オーディオ装置５０が対応可能になる（呼び出すことが可能となる）。
【００５７】
例えば、車載オーディオ装置５０から携帯端末５１のナビゲーションアプリケーションを起動する場合、車載オーディオ装置５０の表示画面に表示されたメニューのナビゲーションアイコン５３に触れ、ナビゲーション機能を選択する（１）。次に、車載オーディオ装置５０は、携帯端末５１のナビゲーション機能を呼び出して実行する（２）。そして、携帯端末５１上でナビゲーションプログラムが動き、映像と音声を車載オーディオ装置５０側に出す（３）。
【００５８】
なお、車載オーディオ装置５０と携帯端末５１は異なるベンダが製造する場合が多く、車載オーディオ装置５０はプログラムが通常ＲＯＭに書き込まれるので、不具合でもない限り更新されないが、携帯端末５１はネットワーク経由でプログラム更新可能であり、機能追加等々更新頻度が高い。
【００５９】
図３は、本発明の実施形態にかかるアプリケーション情報ＤＢの例を示す。このアプリケーション情報ＤＢには、情報端末で実行するアプリケーションであるナビゲーションアプリケーション（例えばGoogleMapなど）Ｘ１、ブラウザアプリケーション（例えばSafaliなど）Ｘ２、メディアプレーヤーアプリケーション（例えばiTunes（登録商標）など）Ｘ３の起動コマンドと、車両の走行状態におけるアプリケーションの制限に関する走行規制データと、音声を出力する形態に関する音声種別と、子どもの視聴できる番組やコンテンツを制限するペアレンタルロック（視聴年齢制限）データと、車両の特定の条件に対応してアプリケーションを起動するための自動起動条件と、アプリケーションのアイコンデータとが格納される。
【００６０】
走行規制データは、車両が走行状態になったときに画面表示を規制するか否かを設定でき、ナビゲーションアプリケーションＸ１は規制なし、ブラウザアプリケーションＸ２およびメディアプレーヤーアプリケーションＸ３は規制ありに設定される。走行規制ありの場合、車両が走行状態になったときに例えば画面からのタッチ入力が不能になる。
【００６１】
また、音声種別は、車両に４つのスピーカが搭載されている場合に、ナビゲーションアプリケーションＸ１では、他の音声出力に割り込んで右前の１スピーカから音声を出すように設定され、ブラウザアプリケーションＸ２では音声出力なし、メディアプレーヤーアプリケーションＸ３では、４スピーカすべてから音声を出すように設定される。
【００６２】
なお、車載オーディオにおいてＣＤアプリケーションを実行中に、情報端末から取得した音声種別がオーディオ音声の場合はＣＤアプリケーションを終了させ、割り込み音声（ナビゲーションアプリケーション）の場合はＣＤ音声が継続される。
【００６３】
また、ペアレンタルロックデータは、ナビゲーションアプリケーションＸ１では無効、ブラウザアプリケーションＸ２およびメディアプレーヤーアプリケーションＸ３では有効に設定される。ペアレンタルロックが有効の場合、視聴できる番組やコンテンツが制限される。
【００６４】
また、自動起動条件において、ナビゲーションアプリケーションＸ１は走行開始に伴い自動起動するように設定され、ブラウザアプリケーションＸ２およびメディアプレーヤーアプリケーションＸ３ではそのような設定はない。
【００６５】
なお、アプリケーション情報ＤＢにアプリケーションごとの音量設定値、画質調整値を保存することにより、例えば、携帯端末のオーディオアプリケーションは音量値１０、動画アプリケーションは音量値２０、 画質調整値は明るさ＋１０のようなデータを保存することができる。
【００６６】
次に、本発明の実施形態にかかる車載端末１０と情報端末２０における処理の流れを図１のブロック図を参照して説明する。
【００６７】
（１）まず、車載端末１０と情報端末２０が電源オンの状態で接続されると、車載端末１０の制御部１２は、アプリケーション情報格納部１４のアプリケーション情報ＤＢから、先述した所定のアプリケーションのアプリケーション情報、すなわち起動コマンドを呼び出す。そして、送受信部１５が通信路３０を介して当該起動コマンドを情報端末２０へ送信する。
（２）本実施形態では、所定のアプリケーションは、携帯端末２０のアプリケーション情報提供部２２に相当する。したがって、車載端末１０と情報端末２０の接続時、またはメニュー画面表示時に車載端末１０のアプリケーション情報取得部１３が携帯端末２０のアプリケーション情報提供部（所定のアプリケーション）２２よりアプリケーション情報ＤＢを取得し、車載端末１０のアプリケーション情報格納部１４へ格納する。尚、ここでの所定のアプリケーションは、アプリケーション情報提供部２２とは異なる、全く別のアプリケーションであっても良い。この別のアプリケーションは、アプリケーション情報提供部２２にアプリケーション情報ＤＢを車載端末１０に送信させることができるものであればよい。
【００６８】
（３）メニュー画面等表示する際に、車載端末１０の制御部１２がアプリケーション情報格納部１４よりアプリケーション情報ＤＢを取得し、アプリケーション情報ＤＢに登録されているアプリケーションを表示部１１のメニューに表示する。
【００６９】
図４は、本発明の実施形態における車載端末１０のメニュー画面イメージを示す。車載端末１０のメニュー画面には、情報端末２０で実行可能なナビゲーションアプリケーションＸ１アイコン６０、ブラウザアプリケーションＸ２アイコン６１およびメディアプレーヤーアプリケーションＸ３アイコン６２が表示される。なお、車載端末１０がもともと持つ機能（ラジオなど）と混在も可能である。
【００７０】
（４）ユーザが表示部１１を操作してメニューから起動させたいアプリケーションを選択した際に、車載端末１０の制御部１２はアプリケーション情報ＤＢからユーザが選択したアプリケーションの起動コマンドを取得し、情報端末２０へ送信する。
【００７１】
情報端末２０では送受信部２３より起動コマンドにより指定されたアプリケーションの起動が行われる。情報端末２０内のアプリケーションは映像・音声データを車載端末１０へ送り、車載端末１０の制御部１２が映像を表示部１１へ、音声をスピーカ１６へ出力する。
【００７２】
この際、例としてアプリケーション情報ＤＢに登録されている音声種別などを制御部１２が判断し、音声をどのようにスピーカ１６へ出力するかなど制御が可能である。例えば、ナビゲーションアプリケーションなどは右前スピーカ１つから音声をだし、オーディオアプリケーションは全スピーカから出力することができる。
【００７３】
（５）走行状態等車両の状態が変化した場合、車載端末１０の制御部１２はアプリケーション情報ＤＢを参照し、規制をかける必要があれば画面を隠すなど処理を行う。
【００７４】
図５は、本発明の実施形態において規制をかける必要がある場合の画面イメージを示す。例えば、図３に示したアプリケーション情報ＤＢでは、ブラウザアプリケーションＸ２およびメディアプレーヤーアプリケーションＸ３は走行規制ありに設定されている。このため、車両の停止中は図５（ａ）に示すような画面が表示され、アプリケーションの操作が可能であるが、車両の走行中は図５（ｂ）に示すような画面が表示され、アプリケーションの操作ができなくなる。
【００７５】
（６）車両固有の情報を用いてアプリケーションの起動をコントロールする場合、（２）の処理フローにより情報端末２０のアプリケーション情報提供部２２より取得し、車載端末１０のアプリケーション情報格納部１４に格納したアプリケーション情報と、車載端末情報格納部１７から取得した固有情報を用いて制御部１２がアプリケーションの起動をコントロールすることで実現できる。
【００７６】
車載端末情報格納部１７には車両固有の情報を記憶させる。例えばその車両が再生可能な方式がモノラルなのかステレオなのかといった情報を持たせる。車載端末情報格納部１７に格納された再生方式がモノラルの車両にてメニューよりＸ３アプリケーションが選択された場合、アプリケーション情報からＸ３アプリケーションの音声種別を取得する。
【００７７】
この例ではＸ３アプリケーションの音声種別はオーディオのため、この車載端末１０ではＸ３アプリケーションを動作させるために十分な性能がないと判断し、Ｘ３アプリケーションの起動コマンドを情報端末２０へ送信しないことを制御部１２で制御することができる。
【００７８】
上記の例のように車載端末情報格納部１７に車載端末１０に固有な情報を格納することで、車載端末１０に合わせたアプリケーションの起動制御が可能となる。車載端末１０に固有な情報は、例えば、再生方式（モノラルまたはステレオ）、スピーカの数、チャンネル数（2chまたは5.1ch）、ドルビー規格、画面タッチの分解能、画面タッチの応答速度を含む。
【００７９】
また、自家用車または社用車の情報を格納しておき、社用車に対してアプリケーションを限定してもよい。また、ハンドルの付いている向きの情報を格納しておき、ハンドルの付いている向きに応じてナビゲーションの割り込み音声の向きを変えることもできる。
【００８０】
本実施形態では、有線方式である通信路３０を用いて車載端末１０と情報端末２０が接続されている。しかしながら、車載端末１０と情報端末２０の接続は無線でもよい。
【００８１】
以上説明したように、本発明の実施形態にかかる車両情報システム、車載端末１０およびプログラムによれば、車載端末１０は、情報端末２０が実行可能なアプリケーションごとのアプリケーション情報を格納するアプリケーション情報データベースを取得するので、情報端末２０にインストールされている様々なアプリケーションを車載端末１０側から制御することができる。
【００８２】
また、本発明の実施形態にかかる車載端末１０および情報端末２０の間においては、共通に起動可能な所定のアプリケーションが予め定められている。そして、車載端末１０は当該所定のアプリケーションを用いて情報端末２０からアプリケーション情報データベースを取得することができる。したがって、たとえば車載端末１０が、頻繁に更新される情報端末２０の最新のアプリケーションおよびその起動コマンドを知らなくても、常に最新のアプリケーションの情報を情報端末２０から取得することができ、最新のアプリケーションを起動させることができる。
【００８３】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【産業上の利用可能性】
【００８４】
本発明は、様々なアプリケーションがインストールされている携帯端末を車載装置側から制御する情報システム、車載装置およびプログラムとして利用可能である。
【符号の説明】
【００８５】
１０  車載端末
１１  表示部
１２  制御部
１３  アプリケーション情報取得部
１４  アプリケーション情報格納部
１５，２３  送受信部
１６  スピーカ
１７  車載端末情報格納部
２０  情報端末
２１  アプリケーション部
２２  アプリケーション情報提供部
３０，５２  通信路
４０  コマンド
４１  映像および音声データ
５０  車載オーディオ装置
５１  携帯端末
５３  ナビゲーションアイコン
６０  ナビゲーションアプリケーションＸ１アイコン
６１  ブラウザアプリケーションＸ２アイコン
６２  メディアプレーヤーアプリケーションＸ３アイコン
【図１】
2012208891.tif 000003
【図２】
2012208891.tif 000004
【図３】
2012208891.tif 000005
【図４】
2012208891.tif 000006
【図５】
2012208891.tif 000007
【図６】
2012208891.tif 000008